(57)【要約】【課題】        スイッチ構成部に設けられた中空部の表面上から押圧か、無押圧により不導通、又は導通状態となるよう構成された圧力センサースイッチを提供する。【解決手段】        伝導線と接続する２個の電導板と、電導板間に中空部を構成するように設けられた絶縁体よりなる隙間構成部材と、中空部に設けられ一方の電導板に絶縁体で固定され他方の電導板に絶縁体と可動部で接触する電導性のバネと、表面から押圧で前記バネを非接触状態になるように押し込む絶縁体よりなる操作体と電導板全体を覆うカバー体とよりなることを特徴とする圧力センサースイッチ。【選択図】  図１
2005222916.tif 000002
【特許請求の範囲】
【請求項１】
伝導線と接続する２個の伝導板と、伝導板間に中空部を構成するようにもうけられた絶縁体よりなる隙間構成部材と、中空部に設けられ一方の伝導板に絶縁体で固定され他方の伝導板に絶縁体と可動部で接触する伝導性のバネと、表面から押圧で前記バネを非接触状態になるように押し込む絶縁体よりなる操作体と、伝導板全体を覆うカバー体とよりなる圧力センサースイッチ。
【発明の詳細な説明】
【技術分野】
【０００１】        本発明はスイッチ構成部に設けられた中空部の表面上から押圧か、無押圧により不導通、又は導通状態となるよう構成された圧力センサースイッチに関するものである。
【背景技術】
【０００２】        従来、圧力センサーは伝導線で接続された上部の伝導板と、下部の伝導板の間に絶縁体よりなる隙間構成部材を設け、押圧することにより上部の伝導板と下部の伝導板が押圧箇所で接触、即導通するように構成されたものである。
【発明の開示】
【発明が解決しようとする課題】
【０００３】        従来、圧力センサーは押圧即導通を目的として構成されたものである。本発明は押圧即導通を目的とするのではなく、押圧即不導通を目的とするのである。故に前記圧力センサーの構成上の問題点を解決するためになされたものである。
【課題を解決するための手段】
【０００４】        伝導線と接続する２個の伝導板と伝導板間に中空部を構成するように設けられた絶縁体よりなる隙間構成部材と中空部に設けられ一方の伝導板に絶縁体で固定され他方の伝導板に絶縁体と可動部で接触する伝導性のバネを設け、表面から押圧して前記バネを非接触状態になるように押し込む絶縁体よりなる操作体と２個の伝導板全体を覆うカバー体を設ける。以上を特徴とする圧力センサースイッチである。
【発明の効果】
【０００５】        従来の圧力センサーの構成に対して、本発明は内部構成の重要部分の中心的役割として伝導性バネを最大限に活用した。即ち解決するための手段で述べた如く、伝導板間に設けられたスイッチ構成部の中空部の表面を押圧すると、操作体の働きで不導通状態となるのである。従来の圧力センサーでは求め得ない特徴であり、多種の利用に応ずるよう小型化を実現した。又、使用に際しても軽い押圧で即座に反応を示すのが特徴である。
【発明を実施するための最良の形態】
【０００６】        以下、本発明の実施の形態について図１〜図３を利用して説明する。
本発明は２個の伝導板、伝導板に接続された伝導線、伝導性のバネ、伝導板間の中間部に中空部を構成するための隙間構成部材、バネを押し込む操作体、スイッチ構成部の全体を覆うカバーから構成されたスイッチである。
図１に示すようにスイッチ構成部は、上部材と下部材から構成され、上部材は長方形状の伝導板１と、伝導板の一端側下部に設けられた絶縁体よりなる隙間構成部材３が設けられている。この際伝導板１と隙間構成部材３は、絶縁体よりなる操作体５の一端を固定するように設けられている。操作体５は一端を固定され、中間部で他端が開放された状態となっている。下部材は伝導板２の上面で前記上部材に設けられた隙間構成部材３の取り付けられた位置と、反対端部に隙間構成部材４が固定されている。また伝導板２には伝導性のバネ６の一端が固定されており、バネは途中で上方に折り曲がった状態となっている。上部材、下部材を重ねた状態が図２である。図に示すように上の伝導板１と下の伝導板２は左右の隙間構成部材３，４により中間に中空部が構成されている。一端を固定されたバネ６は、この中間部で可動するようになっており、通常は開放端が対向する伝導板１に接触した状態となっている。また絶縁体よりなる操作体５は上の伝導板１とバネ６の間に先端が位置するようになっているのである。このように構成されたスイッチ構成部をその外形に合わせた絶縁性のカバー７で覆うことで本発明は構成されている。
これを使用するときは、伝導線８をブザーやライトなどの任意の器具を含む回線間で結線してスイッチとして使用するのである。
これを使用した場合、そのままの状態ではバネ６が対向する伝導板１に接触しているため導通状態となっている。この中空部上に指などで力を加えると、図３に示すように上の伝導板１が湾曲し、この湾曲により絶縁体よりなる操作体５の先端が下方に傾きバネ６を下方に押しつける。一定以上の押し付けがなされるとバネ６が非接触状態となり不導通状態となる。
本発明は以上の構成で外部からの侵入防止用としての圧力センサースイッチの使用例は、プラグ付きの平行伝導線に先ず電源用スイッチを結線し、次ぎに圧力センサースイッチを結線し、最後にブザーやライトなどの任意の器具を含む回線間で結線する。
図５〜図８を利用して施錠時と解錠時の仕組みと、それに必要なＬ字型押圧金具の取り付け方法と使用法を説明する。先ず図５に示すＬ字型押圧金具１２を窓枠１０に接続面１４を合わせネジ穴１５に沿って固定し、Ｌ字型押圧金具１２の押圧面１３にて前記図３に示すようにスイッチ構成部の中空部を押圧又は非押圧とするのがＬ字型押圧金具１２の使用目的であり取り付け方法である。施錠時と解錠時の仕組みを説明すると、図７の施錠時は窓枠１０に取り付けられたＬ字型押圧金具１２は壁９に固定されたスイッチ構成部の中空部を押圧して不導通となる仕組みである。逆に図８の解錠時は解錠によって戸が開き、それによって窓枠１０に接続されたＬ字型押圧金具１２がスイッチ構成部の中空部を非押圧の状態とし即導通とする仕組みである。
以上をもって使用例を説明する。図７の施錠時はスイッチ構成部の中空部を押圧するＬ字型押圧金具１２を窓枠１０に接続固定しＬ字型押圧金具１２と合致するよう押圧スイッチを壁９に固定し、プラグ付き平行伝導線８にそれぞれ順序に従って結線する。先ず電源用のスイッチを導通とし、電流を流すと押圧スイッチは施錠故に窓枠１０に取り付けられたＬ字型押圧金具１２により押圧の状態である。即ち上部の伝導板の絶縁体よりなる操作体が、下部のバネを押圧して非接触とし不導通状態となる。電源用スイッチが導通状態でもプラグ付き平行伝導線８に流れる電流は押圧スイッチの結線箇所で不導通とし、最後に結線したブザーやライトなどの任意の器具には電流は流れないのである。施錠状態から解錠状態に変化すると、窓枠１０に取り付けられたＬ字型押圧金具１２がスイッチ構成部の中空部に対し押圧解除となり、不導通から即導通となる。即ち上部の絶縁体よりなる操作体が下部のバネを押圧せず、導通とするのである。と同時に不導通状態であったブザーやライトに導通され鳴り続け、又は点灯し続けるのである。これが本発明の圧力センサースイッチの外部からの侵入防止用の使用例である。
【図面の簡単な説明】
【０００７】
【図１】  スイッチ構成部の分解斜視図
【図２】  スイッチ構成部の側面断面図
【図３】  スイッチ構成部の中空部押圧側面断面図
【図４】  押圧スイッチの平面図
【図５】  Ｌ字型押圧金具背面斜視図
【図６】  Ｌ字型押圧金具表面斜視図
【図７】  一部断面の施錠時平面図
【図８】  一部断面の解錠時平面図
【符号の説明】
【０００８】  １    上部伝導板
２    下部伝導板
３    上部絶縁体
４    操作体
５    下部絶縁体
６    伝導性バネ
７    絶縁性カバー
８    プラグ付き平行伝導線
９    壁
１０    窓枠
１１    ガラス
１２    Ｌ字型押圧金具
１３    押圧面
１４    窓枠接続面
１５    ネジ穴
１６    押圧スイッチ
【図１】
2005222916.tif 000003
【図２】
2005222916.tif 000004
【図３】
2005222916.tif 000005
【図４】
2005222916.tif 000006
【図５】
2005222916.tif 000007
【図６】
2005222916.tif 000008
【図７】
2005222916.tif 000009
【図８】
2005222916.tif 000010